(57)【要約】【課題】簡単かつ確実に布設することができる漏洩同軸ケーブルとその曲がりくせ形成方法とその布設方法を提供する。【解決手段】内部導体１３と、内部導体１３の外周上に設けられた絶縁体１４と、絶縁体１４の外周上に、長手方向に沿って一直線状に配列された複数のスロット１１を有するラミネートテープ１５を縦添えしてなる外部導体１２と、外部導体１２の外周上に設けられた外被１６とを備え、複数のスロットの配列面１０Ａが湾曲しないようにされた曲がりくせを設けた。外被１６の外側からスロット１１を透視してスロット位置を確認できるように、外被１６を透明あるいは半透明のプラスチック材料により形成してもよい。【選択図】  図１
2005192036.tif 000002
【特許請求の範囲】
【請求項１】
内部導体と、前記内部導体の外周上に設けられた絶縁体と、前記絶縁体の外周上に、長手方向に沿って一直線状に配列された複数のスロットを有するラミネートテープを縦添えしてなる外部導体と、前記外部導体の外周上に設けられた外被とを備え、
前記複数のスロットの配列面が湾曲しないようにされた曲がりくせを設けたことを特徴とする漏洩同軸ケーブル。
【請求項２】
請求項１に記載の漏洩同軸ケーブルにおいて、
前記外被は、透明あるいは半透明のプラスチック材料からなるものであることを特徴とする漏洩同軸ケーブル。
【請求項３】
請求項１又は２に記載の漏洩同軸ケーブルにおいて、
ケーブル端部に終端抵抗器を接続したことを特徴とする漏洩同軸ケーブル。
【請求項４】
請求項１又は２に記載の漏洩同軸ケーブルにおいて、
予め、布設長に合わせたケーブル長とされ、一端に、無線ＬＡＮのアクセスポイントに接続するためのコネクタが接続され、他端に終端抵抗器が接続されたことを特徴とする漏洩同軸ケーブル。
【請求項５】
請求項１又は２に記載の漏洩同軸ケーブルにおいて、
前記ラミネートテープに、長手方向に一定の周期で複数のスロットが配設されたスロット配設部分と、スロットを設けないスロットレス部分とを設けたことを特徴とする漏洩同軸ケーブル。
【請求項６】
請求項１又は２に記載の漏洩同軸ケーブルにおいて、
予め、滑り止め用のゴム輪を嵌着したことを特徴とする漏洩同軸ケーブル。
【請求項７】
内部導体と、前記内部導体の外周上に設けられた絶縁体と、前記絶縁体の外周上に、長手方向に沿って一直線状に配列された複数のスロットを有するラミネートテープを縦添えしてなる外部導体と、前記外部導体の外周上に設けられた外被とを備えた漏洩同軸ケーブルを、
前記複数のスロットを配列した面を、横向き状態としながら円筒体に巻き付けることを特徴とする漏洩同軸ケーブルの曲がりくせ形成方法。
【請求項８】
内部導体と、前記内部導体の外周上に設けられた絶縁体と、前記絶縁体の外周上に、長手方向に沿って一直線状に配列された複数のスロットを有するラミネートテープを縦添えしてなる外部導体と、前記外部導体の外周上に設けられた外被とを備え、かつ、前記複数のスロットの配列面が湾曲しないようにされた曲がりくせを有する漏洩同軸ケーブルを、
前記曲がりくせを矯正することなく、前記複数のスロットの配列面を天井又は床に向けて配置することを特徴とする漏洩同軸ケーブルの布設方法。
【発明の詳細な説明】
【技術分野】
【０００１】
本発明は、屋内無線ＬＡＮシステムを構築するのに好適な漏洩同軸ケーブルに関する。
【背景技術】
【０００２】
従来、屋内無線ＬＡＮのアクセスポイントに繋がるものとして漏洩同軸ケーブルが使用されている。
この漏洩同軸ケーブルは、天井や床下に布設することによって、従来の無線アンテナ型アクセスポイントを設置した場合と比べて、自由にレイアウトできることから、電波を均一に発信し電波の不感エリヤを解消するという利点がある。
【０００３】
漏洩同軸ケーブルを用いて屋内無線ＬＡＮを形成する場合には、図４に示すように、区域４、例えば、床や天井に、漏洩同軸ケーブル１０をＵ字状に配線する。アクセスポイント２１には、ホストコンピュータやサーバーに繋がるＬＡＮケーブル７Ａおよびアクセスポイント２１を駆動する電源ケーブル５Ａを接続する。アクセスポイント２１と漏洩同軸ケーブル１０とは、通常の同軸ケーブル２２を用いて接続する。漏洩同軸ケーブル１０側にはアクセスポイント２１等の機器がないから電源の供給は不要である。漏洩同軸ケーブル１０の終端には、終端抵抗器２０を接続する。
【０００４】
このようにすれば、漏洩同軸ケーブル１０からその全長に亘って電波が発信される。屋内の金属製の棚やパーティーション等のレイアウトに左右されることがなく、また、アクセスポイントを１ヶ所に設置するだけでよいので、配線工事や保守点検がかなり簡易化される。
【０００５】
従来よく知られた漏洩同軸ケーブルは、鉄道無線や、トンネル内のラジオ放送の送信等に利用されている。この漏洩同軸ケーブルは、例えば、銅パイプ又は銅単線からなる内部導体上に、高密度ポリエチレンからなる梯形紐を螺旋巻きし、この上にポリエチレンを押出被覆して絶縁層を形成し、この上にスロット付きアルミラミネートテープを波付け縦添えしてケーブル心を構成し、このケーブル心と、支持線（鋼撚線）とを平行に配置した状態で、黒色ポリエチレンでＳＳＤ型に共通被覆してなる（特許文献１、特許文献２参照）。
【特許文献１】特開平５−１２１９２６号公報
【特許文献２】特開平１０−１４５１３６号公報
【発明の開示】
【発明が解決しようとする課題】
【０００６】
上記のような従来の技術には、次のような解決すべき課題があった。
屋内無線ＬＡＮに使用される漏洩同軸ケーブルは、細径のものが望まれるので、布設時に固定するために設けられる支持線が設けられていない。したがって、漏洩同軸ケーブルのスロットの位置を所定の方向に向けて布設することが困難である。
予め、スロット位置とは反対側の位置に突起等の目印を設けることが考えられるが、製造工程が煩雑であり、しかも布設の際にケーブルが捩れると突起等の目印を所定方向に向けて布設することが難しい。
【０００７】
本発明は以上の点に着目してなされたもので、簡単かつ確実に布設することができる漏洩同軸ケーブルとその曲がりくせ形成方法とその布設方法を提供することを目的とする。
【課題を解決するための手段】
【０００８】
本発明は次の構成により上記の課題を解決する。
〈構成１〉
内部導体と、上記内部導体の外周上に設けられた絶縁体と、上記絶縁体の外周上に、長手方向に沿って一直線状に配列された複数のスロットを有するラミネートテープを縦添えしてなる外部導体と、上記外部導体の外周上に設けられた外被とを備え、上記複数のスロットの配列面が湾曲しないようにされた曲がりくせを設けたことを特徴とする漏洩同軸ケーブル。
【０００９】
複数のスロットの配列面が湾曲しない曲がりくせとは、例えば、ケーブルをＵ字形に曲げた場合、ケーブルには湾曲面が内側と外側の２面に生じるが、この２面以外の面に、スロットが位置するように形成した曲がりくせである。このようにすると、例えば、Ｕ字形に曲げた本発明の漏洩同軸ケーブルを、曲がりくせを矯正しないで、屋内の床面に単に放置した場合、複数のスロットが自動的に床面方向、すなわち真下に向くか、天井方向、すなわち真上に向くのいずれかの状態となる。屋内において天井から下方に向って電波を流したい場合には、漏洩同軸ケーブルを、スロットが下向きになるように、曲がりくせを利用して天井裏に置くだけでよいので、配線工事がきわめて簡単である。曲がりくせはケーブルの全長に亘って設けられる必要はなく、一部に付与されていてもよい。
【００１０】
〈構成２〉
構成１に記載の漏洩同軸ケーブルにおいて、上記外被は、透明あるいは半透明のプラスチック材料からなるものであることを特徴とする漏洩同軸ケーブル。
【００１１】
外被の外側からスロットを透視してスロット位置を確認できる。この位置確認を行ってケーブル布設に際しスロット面を任意の方向に向けて配置できる。
蛍光灯等による紫外線劣化を防止するには、紫外線防止剤を添加した半透明のプラスチック材料を用いることが望ましい。
【００１２】
〈構成３〉
構成１又は２に記載の漏洩同軸ケーブルにおいて、ケーブル端部に終端抵抗器を接続したことを特徴とする漏洩同軸ケーブル。
【００１３】
工場においてケーブル端部に終端抵抗器を接続しておくことにより、布設現場における配線作業が簡略化される。
【００１４】
〈構成４〉
構成１又は２に記載の漏洩同軸ケーブルにおいて、予め、布設長に合わせたケーブル長とされ、一端に、無線ＬＡＮのアクセスポイントに接続するためのコネクタが接続され、他端に終端抵抗器が接続されたことを特徴とする漏洩同軸ケーブル。
【００１５】
漏洩同軸ケーブルは電波の漏洩量によりケーブル長が決められる。例えば、ケーブル絶縁体の外径が２０ｍｍの漏洩同軸ケーブルでは約５０ｍの長さ、同外径１０ｍｍの漏洩同軸ケーブルでは約２０ｍの長さとなる。このことから、予め漏洩同軸ケーブルを一定の長さで使用できるようにする。構成３と同様に工場においてケーブル端部にコネクタや終端抵抗器を接続しておくことにより、布設現場における配線作業がより簡略化される。
【００１６】
〈構成５〉
構成１又は２に記載の漏洩同軸ケーブルにおいて、上記ラミネートテープに、長手方向に一定の周期で複数のスロットが配設されたスロット配設部分と、スロットを設けないスロットレス部分とを設けたことを特徴とする漏洩同軸ケーブル。
【００１７】
スロットレス部分においてケーブルを切断し、この切断端部に所定のコネクタを接続するようにする。例えば、予め、一区域におけるケーブル布設長が決定している場合に、それぞれ所定長に設定された、スロット配設部分とスロットレス部分を交互に設けておくことによって、布設現場において、外被の外側からスロットレス部分を透視して位置確認しながらスロットレス部分を切断して効率よくコネクタ等の接続作業を行うことができる。
【００１８】
〈構成６〉
構成１又は２に記載の漏洩同軸ケーブルにおいて、予め、滑り止め用のゴム輪を嵌着したことを特徴とする漏洩同軸ケーブル。
【００１９】
ケーブル布設後、振動等により自然移動することを防止するものである。
【００２０】
〈構成７〉
内部導体と、上記内部導体の外周上に設けられた絶縁体と、上記絶縁体の外周上に、長手方向に沿って一直線状に配列された複数のスロットを有するラミネートテープを縦添えしてなる外部導体と、上記外部導体の外周上に設けられた外被とを備えた漏洩同軸ケーブルを、上記複数のスロットを配列した面を、横向き状態としながら円筒体に巻き付けることを特徴とする漏洩同軸ケーブルの曲がりくせ形成方法。
【００２１】
円筒体としては、ケーブルドラム、ボビン等があるが、この他に、漏洩同軸ケーブルを巻き付けることができる剛性や大きさ等を備えるものであればよい。
漏洩同軸ケーブルは剛性が大きく可撓性が小さいため、円筒体に巻き付けることにより、巻き戻しても曲がりくせが付与される。複数のスロットを配列した面が横向き状態としながら円筒体に巻き付けることにより、各スロットが常時一定方向に向くようになる。
【００２２】
〈構成８〉
内部導体と、上記内部導体の外周上に設けられた絶縁体と、上記絶縁体の外周上に、長手方向に沿って一直線状に配列された複数のスロットを有するラミネートテープを縦添えしてなる外部導体と、上記外部導体の外周上に設けられた外被とを備え、かつ、上記複数のスロットの配列面が湾曲しないようにされた曲がりくせを有する漏洩同軸ケーブルを、上記曲がりくせを矯正することなく、上記複数のスロットの配列面を天井又は床に向けて配置することを特徴とする漏洩同軸ケーブルの布設方法。
【００２３】
曲がりくせを有する漏洩同軸ケーブルを、曲がりくせを矯正することなく、天井裏に配置するか、床下に配置することによって、複数のスロットを配列した面を天井又は床に向けて簡単に配線することができる。
【発明を実施するための最良の形態】
【００２４】
以下、本発明の実施の形態を具体例を用いて説明する。
【実施例１】
【００２５】
図１（ａ）は、本発明の漏洩同軸ケーブルの一実施例を示す側面図、（ｂ）はその横断面図、（ｃ）は端末の斜視図である。
図１（ａ）において、漏洩同軸ケーブル１０は、傾斜が反対方向に向いている所謂ハの字形を呈するように、複数のスロット１１が設けられてなる外部導体１２を含んでいる。
【００２６】
すなわち、漏洩同軸ケーブル１０は、図１（ｂ）、（ｃ）に示すように、銅撚り線又は銅単線からなる内部導体１３と、この内部導体１３の外周上に高発泡ポリエチレンを押出被覆してなる絶縁体１４と、この絶縁体１４の外周上に、後述するラミネートテープ１５（図２）を、その両縁を重ね合わせて縦添えして成型された外部導体１２と、外部導体１２の外周上にポリエチレンを押出被覆してなる外被１６とを備えている。
【００２７】
このような漏洩同軸ケーブルには、複数のスロット１１の配列面１０Ａが湾曲しないようにされた曲がりくせが設けられている。この曲がりくせは、図１（ａ）に示すようにスロット１１の配列面１０Ａが外側湾曲面１０Ｂと内側湾曲面１０Ｃとの間に位置するように形成されている。
【００２８】
図２は、外部導体１２を構成するラミネートテープ１５を示す平面図である。
図２に示すように、ラミネートテープ１５は、複数のスロット１１ａ〜１１ｆがほぼ全長に亘って一直線状に一定の周期で繰返し配列されている。これらのスロット１１ａ〜１１ｆは、傾き（θ）が４５°の角度で同方向に向く３個のスロットと、それと対称の方向に向く３個のスロットとがハの字形状を呈するように配設されている。これらのスロット１１ａ〜１１ｆは、縦沿え成型前のラミネートテープ１５のほぼ中心位置に、長手方向に沿って一直線状に設けられている。
【００２９】
スロット１１は、次の事項を考慮して設計される。すなわち、ケーブル長手方向にみたスロット配列ピッチは、伝送（漏洩）される信号の周波数により決定される。スロットの長さ、幅、傾きは、それぞれ要求される信号の漏洩量により決定される。長さが長いほど、幅が広いほど、傾きθが大きいほど、漏洩量が増大する。
【００３０】
漏洩同軸ケーブルの製造工程では、成型前のラミネートテープ１５にスロット１１を形成する。このラミネートテープ１５を高発泡ポリエチレン絶縁体上に縦沿えして、外被１６として透明あるいは半透明のポリエチレンを押出被覆する。このとき、ラミネートテープ１５のポリエチレンテープ面が外側になるように、縦沿えする。ラミネートテープのポリエチレンは、外被１６のポリエチレンと押出し時の熱で融着一体化する。
【００３１】
外被１６を自然色ポリエチレンで構成した場合は、透明あるいは半透明となり、布設現場において、外被１６の外側からスロット１１を透視してスロット位置を確認できる。スロットの空いた側から電波信号がより多く漏洩する。したがって、この位置確認を行ってケーブル布設に際しスロット面を端末装置の方向に向けて配設できる。なお、透明あるいは半透明のポリエチレンは、紫外線による劣化が生じ易い。しかし、紫外線から遮蔽された天井裏等に設置すると、紫外線による劣化の問題は無視できる。さらに、外被１６に周知の紫外線劣化防止剤を適宜混入すれば、紫外線劣化を防止できる。
【００３２】
図３は漏洩同軸ケーブルの曲がりくせ形成方法を示している。
図３に示すように、漏洩同軸ケーブル１０はケーブルドラム１８に巻き付けることにより、曲がりくせが形成される。このとき、複数のスロット１１を配列した面１０Ａを、横向き状態とする。漏洩同軸ケーブル１０は、剛性が大きく可撓性が小さいため、ケーブルドラム１８に巻き付けた後に巻き戻しても各スロット１１が常時一定方向に向くような曲がりくせが付与される。
【００３３】
曲がりくせ形成のために、漏洩同軸ケーブル１０を巻き付けるものとしては、ケーブルドラム１８に限定されない。漏洩同軸ケーブル１０を巻き付けることができる所定の剛性や大きさ等を備える、ボビン等の円筒体であればよい。
【００３４】
曲がりくせが付与された漏洩同軸ケーブル１０を布設する場合は、図４に示すように、複数のスロット１１の配列面を天井又は床に向けて配置する。すなわち、曲がりくせを有する漏洩同軸ケーブル１０を、曲がりくせを矯正することなく、天井裏に配置するか、床下に配置する。漏洩同軸ケーブル１０を、コンクリートの床や壁に埋設してもよい。
【００３５】
このようにすると、屋内において天井から下方に向って電波を流したい場合には、漏洩同軸ケーブル１０を、スロット１１が下向きになるように、曲がりくせを利用して天井裏に置くだけでよいので、配線工事がきわめて簡単である。曲がりくせはケーブルの全長に亘って設けられる必要はなく、一部に付与されていてもよい。
【００３６】
漏洩同軸ケーブル１０には、図４に示すように、予め、ケーブル端部に終端抵抗器２０を接続しておいてもよい。工場においてケーブル端部に終端抵抗器２０を接続しておくことにより、布設現場における配線作業が簡略化される。
【００３７】
漏洩同軸ケーブル１０は、電波の漏洩量よりケーブル長が決められるから、予め、布設長に合わせたケーブル長、例えば、ケーブル絶縁体の外径が２０ｍｍの漏洩同軸ケーブルでは約５０ｍ、同外径１０ｍｍでは約２０ｍの長さで使用できるようにされる。このようにされた漏洩同軸ケーブル１０を、図４に示すように、一端に、通常の同軸ケーブル２２を介して無線ＬＡＮのアクセスポイント２１に接続するためのコネクタ１９が接続され、他端に終端抵抗器２０が接続しておいてもよい。こうすることにより、布設現場における配線作業がより簡略化される。
【００３８】
漏洩同軸ケーブルには、図１（ａ）に示すように、予め、滑り止め用のゴム輪１５を嵌着してもよい。ケーブル布設後、振動等により自然移動することを防止するものである。ゴム輪１５は、ゴム又はプラスチックにより環状あるいは着脱自在なＣ字状に形成され、また、外周面に多数の突起等を設けることにより、滑り止め効果を奏するようにされている。
【００３９】
図５は、本発明の漏洩同軸ケーブルの変形例を示す側面図である。
本発明の漏洩同軸ケーブルは、図５に示すように、外部導体３０に、長手方向に一定の周期で複数のスロットが配設されたスロット配設部分３１と、スロットを設けないスロットレス部分３２とを設けてなるものを、複数のスロットの配列面が湾曲しないようにされた曲がりくせを設けたものを含むものとする。
【００４０】
なお、スロットレス部分３２の幅は、コネクタ付けのための端末処理長を考慮して選定される。この変形例の漏洩同軸ケーブルでは、１００ｍｍ程度あればよい。スロットレス部分３２は、ケーブル長手方向に適当な間隔で配置される。
【００４１】
この間隔は、漏洩同軸ケーブルを布設したときの切断長により選択される。例えば、漏洩同軸ケーブルを現場で１０メートル置きに切断して使用するならば、スロットレス部分３２は、ケーブル長手方向に１０メートル置きに設けるとよい。透明あるいは半透明の外被を設けておくと、スロットレス部分３２の位置確認が容易にできる。
【００４２】
漏洩同軸ケーブルをこのように構成することにより、布設現場において、透明あるいは半透明の外被の外側から透視してスロットレス部分３２の位置確認を行い、そのスロットレス部分３２でケーブルを切断し、この切断端部に所定のコネクタを接続することができる。したがって、布設現場において、効率よくコネクタ等の接続作業を行うことができる。また、スロットのない部分を切断するので、コネクタ付けした部分での信号の不規則な漏洩を防止できる。
【図面の簡単な説明】
【００４３】
【図１】実施例１の漏洩同軸ケーブルを示す図で、（ａ）は側面図、（ｂ）は横断面図、（ｃ）は端末の斜視図である。
【図２】同実施例に使用するラミネートテープを示す平面図である。
【図３】漏洩同軸ケーブルの曲がりくせ形成方法の説明図である。
【図４】漏洩同軸ケーブルを使って形成する場合の屋内無線ＬＡＮの説明図である。
【図５】漏洩同軸ケーブルの変形例を示す側面図である。
【符号の説明】
【００４４】
１０  漏洩同軸ケーブル
１１  スロット
１２  外部導体
１３  内部導体
１４  絶縁体
１５  ラミネートテープ
１６  外被
１８  円筒体
【図１】
2005192036.tif 000003
【図２】
2005192036.tif 000004
【図３】
2005192036.tif 000005
【図４】
2005192036.tif 000006
【図５】
2005192036.tif 000007